(57)【要約】【課題】処置具挿通チャンネルに用具を挿脱し直すことなく、拡大観察用観察窓等への洗浄液噴射と体内への試薬撒布等を容易に行うことができる内視鏡用送液カテーテルを提供すること。【解決手段】ガイドシース１１内に軸線方向に進退自在に挿通配置された可撓性の送液チューブ１２と、前面噴射口２３と側面噴射口２４とが形成されてガイドシース１１の先端に取り付けられた噴射口金２１と、送液チューブ１２の先端に取り付けられて噴出口金２１内に前後方向に進退自在に配置され、その進退範囲の後側位置にあるときは、送液チューブ１２内と連通するように前面噴射口２３を開口させて側面噴射口２４を封鎖し、進退範囲の前側位置にあるときは、送液チューブ１２内と連通するように側面噴射口２４を開口させて前面噴射口２３を封鎖する切換弁２２とが設けられている。【選択図】      図１
2009233093.tif 000002
【特許請求の範囲】
【請求項１】
内視鏡の処置具挿通チャンネルに挿脱自在な可撓性のガイドシースと、
上記ガイドシース内に軸線方向に進退自在に全長にわたって挿通配置された可撓性の送液チューブと、
前方に向けて開口する前面噴射口と側方に向けて開口する側面噴射口とが形成されて上記ガイドシースの先端に取り付けられた噴射口金と、
上記送液チューブの先端に取り付けられて上記噴出口金内に前後方向に進退自在に配置され、その進退範囲の後側位置にあるときは、上記送液チューブ内と連通するように上記前面噴射口を開口させて上記側面噴射口を封鎖し、上記進退範囲の前側位置にあるときは、上記送液チューブ内と連通するように上記側面噴射口を開口させて上記前面噴射口を封鎖する切換弁と
が設けられていることを特徴とする内視鏡用送液カテーテル。
【請求項２】
上記切換弁には、その切換弁が上記進退範囲の後側位置にあるときに上記側面噴射口を封鎖する側面噴射口封鎖部と、上記進退範囲の前側位置にあるときに上記側面噴射口の内側位置で開口する側面開口部とが形成されている請求項１記載の内視鏡用送液カテーテル。
【請求項３】
上記切換弁には、その切換弁が上記進退範囲の前側位置にあるときに上記前面噴射口を封鎖して、上記進退範囲の後側位置にあるときは上記前面噴射口から離れてその後方に退避する前面噴射口封鎖部が形成されている請求項１又は２記載の内視鏡用送液カテーテル。
【請求項４】
上記送液チューブの基端に連結された注液口金が、上記ガイドシースの基端に連結されたガイドシース基端部材に対し押しボタン状に押し込み自在に配置されると共に、上記注液口金を押し戻す方向に付勢する第１の付勢手段が設けられている請求項１ないし３のいずれかの項に記載の内視鏡用送液カテーテル。
【請求項５】
上記処置具挿通チャンネルの入口である処置具挿入口金に係合する処置具挿入口金係合部材が上記ガイドシース基端部材より前方寄りの位置に上記ガイドシース基端部材に対し相対的に軸線方向に進退自在に設けられると共に、上記ガイドシース基端部材を上記処置具挿入口金係合部材側から押し戻す方向に付勢する第２の付勢手段が設けられている請求項４記載の内視鏡用送液カテーテル。
【発明の詳細な説明】
【技術分野】
【０００１】
この発明は内視鏡用送液カテーテルに関する。
【背景技術】
【０００２】
内視鏡には一般に、観察窓の表面が汚れたときにそれを洗浄するための送水ノズルが挿入部の先端面に観察窓に向けて配置されている。また、処置具挿通チャンネルに撒布チューブ等を通して、体内に色素液や洗浄液その他の試薬を撒布することができる。
【０００３】
ただし、既設の送水ノズルからの送水では観察窓の洗浄が十分に行われない場合等には、処置具挿通チャンネルに洗浄カテーテルを通し、増大させた送水圧で洗浄液等を観察窓に吹き付けることができるようにもしている（例えば、特許文献１）。
【特許文献１】特開平５−９５８９１
【発明の開示】
【発明が解決しようとする課題】
【０００４】
近年開発された共焦点内視鏡等のような拡大観察内視鏡では、挿入部の先端面に通常観察用観察窓が配置される一方で、先端面からさらに前方に突出した突出面に拡大観察用観察窓が配置されている。
【０００５】
したがって、拡大観察用観察窓の洗浄は通常の送水ノズルで行うことができず、拡大観察用観察窓を洗浄する場合には、特許文献１に記載されたような洗浄カテーテルを処置具挿通チャンネルに通して使用する必要がある。
【０００６】
しかし、そのようにして拡大観察用観察窓の洗浄をするのに洗浄カテーテルを処置具挿通チャンネルに通して使用すると、試薬等を撒布するための撒布チューブと洗浄カテーテルとを、必要に応じ取っかえ引っかえ処置具挿通チャンネルに挿脱する必要が生じるので、操作が極めて煩雑なものになってしまう。
【０００７】
本発明は、処置具挿通チャンネルに用具を挿脱し直すことなく、拡大観察用観察窓等への洗浄液噴射と体内への試薬撒布等を容易に行うことができる内視鏡用送液カテーテルを提供することを目的とする。
【課題を解決するための手段】
【０００８】
上記の目的を達成するため、本発明の内視鏡用送液カテーテルは、内視鏡の処置具挿通チャンネルに挿脱自在な可撓性のガイドシースと、ガイドシース内に軸線方向に進退自在に全長にわたって挿通配置された可撓性の送液チューブと、前方に向けて開口する前面噴射口と側方に向けて開口する側面噴射口とが形成されてガイドシースの先端に取り付けられた噴射口金と、送液チューブの先端に取り付けられて噴出口金内に前後方向に進退自在に配置され、その進退範囲の後側位置にあるときは、送液チューブ内と連通するように前面噴射口を開口させて側面噴射口を封鎖し、進退範囲の前側位置にあるときは、送液チューブ内と連通するように側面噴射口を開口させて前面噴射口を封鎖する切換弁とが設けられているものである。
【０００９】
なお、切換弁には、その切換弁が進退範囲の後側位置にあるときに側面噴射口を封鎖する側面噴射口封鎖部と、進退範囲の前側位置にあるときに側面噴射口の内側位置で開口する側面開口部とが形成されていてもよい。
【００１０】
また、切換弁には、その切換弁が進退範囲の前側位置にあるときに前面噴射口を封鎖して、進退範囲の後側位置にあるときは前面噴射口から離れてその後方に退避する前面噴射口封鎖部が形成されていてもよい。
【００１１】
また、送液チューブの基端に連結された注液口金が、ガイドシースの基端に連結されたガイドシース基端部材に対し押しボタン状に押し込み自在に配置されると共に、注液口金を押し戻す方向に付勢する第１の付勢手段が設けられていてもよい。
【００１２】
さらに、処置具挿通チャンネルの入口である処置具挿入口金に係合する処置具挿入口金係合部材がガイドシース基端部材より前方寄りの位置にガイドシース基端部材に対し相対的に軸線方向に進退自在に設けられると共に、ガイドシース基端部材を処置具挿入口金係合部材側から押し戻す方向に付勢する第２の付勢手段が設けられていてもよい。
【発明の効果】
【００１３】
本発明によれば、処置具挿通チャンネルに用具を挿脱し直すことなく、拡大観察用観察窓等を洗浄するための側方への洗浄液噴射と体内への試薬撒布等とを容易に切り換えて一つの用具で行うことができ、極めて操作性がよくて操作者の負担を大幅に軽減することができる。
【発明を実施するための最良の形態】
【００１４】
内視鏡の処置具挿通チャンネルに挿脱自在な可撓性のガイドシースと、ガイドシース内に軸線方向に進退自在に全長にわたって挿通配置された可撓性の送液チューブと、前方に向けて開口する前面噴射口と側方に向けて開口する側面噴射口とが形成されてガイドシースの先端に取り付けられた噴射口金と、送液チューブの先端に取り付けられて噴出口金内に前後方向に進退自在に配置され、その進退範囲の後側位置にあるときは、送液チューブ内と連通するように前面噴射口を開口させて側面噴射口を封鎖し、進退範囲の前側位置にあるときは、送液チューブ内と連通するように側面噴射口を開口させて前面噴射口を封鎖する切換弁とが設けられている。
【実施例】
【００１５】
以下、図面を参照して本発明の実施例を説明する。
図９は、本発明の内視鏡用送液カテーテルが使用される共焦点内視鏡の一例を示しており、可撓性の挿入部１の基端に操作部２が連結されている。
【００１６】
挿入部１の先端面３には、図示されていない通常観察用観察窓や照明窓等が前方（図において下方）に向けて配置されている。また、先端面３からさらに前方に突出した突出面４に、図示されていない拡大観察用照明窓が配置されている。
【００１７】
挿入部１内には、処置具挿通チャンネル５が全長にわたり挿通配置されていて、処置具挿通チャンネル５の出口は挿入部１の先端面３に開口し、入口は操作部２の下端部付近に位置していて、そこに処置具挿入口金６が設けられている。
【００１８】
図１０は、本発明の内視鏡用送液カテーテルの全体構成を示しており、内視鏡の処置具挿通チャンネル５内に挿脱される可撓性の挿入管部１０の先端に、外方に向かって液を噴出させるための先端口金部２０が設けられ、操作者が液の注入操作等を行うための基端注液部３０が挿入管部１０の基端に連結されている。４０は、処置具挿入口金４に係脱自在に係合する処置具挿入口金係合部材である。
【００１９】
図１は、挿入管部１０の最先端部分と先端口金部２０を示している。
挿入管部１０は、内視鏡の処置具挿通チャンネル５内に挿脱自在な例えば四フッ化エチレン樹脂チューブ等からなる可撓性のガイドシース１１と、そのガイドシース１１内に軸線方向に進退自在に全長にわたって挿通配置された、例えば四フッ化エチレン樹脂チューブ等からなる可撓性の送液チューブ１２とで構成されていて、送液チューブ１２の内部空間が液の流路になっている。
【００２０】
先端口金部２０は、ガイドシース１１の先端に接続固定された噴射口金２１と、噴射口金２１内に前後方向（即ち、挿入管部１０の軸線方向であって、図において上下方向）に進退自在に、送液チューブ１２の先端に接続固定された切換弁２２とで構成されている。
【００２１】
硬質の部材により略キャップ状に形成された噴射口金２１には、先端面において前方（図において下方）に向けて開口する前面噴射口２３と、側面の途中位置に開口する側面噴射口２４とが形成されている。
【００２２】
また、噴射口金２１の内周面に嵌合するように形成された切換弁２２には、図１に示されるように切換弁２２が進退範囲の後側位置にあるときに側面噴射口２４を内側から封鎖する側面噴射口封鎖部２５が形成されると共に、切換弁２２が進退範囲の前側位置にあるとき（図６参照）に側面噴射口２４の内側位置に開口する側面開口部２６とが形成されている。
【００２３】
図１に示されるように、側面開口部２６は、液流路である送液チューブ１２の内部と直接連通しているが、切換弁２２が進退範囲の後側位置にあるときには、II−II断面を図示する図２にも示されるように、側面開口部２６は噴射口金２１によって外側から塞がれた状態になっている。
【００２４】
また、切換弁２２には、切換弁２２が進退範囲の前側位置にあるときに前面噴射口２３内に嵌まり込んで前面噴射口２３を内側から封鎖する前面噴射口封鎖部２７が前方に向けて突出形成されている（図６参照）。ただし、図１に示されるように、切換弁２２が進退範囲の後側位置にあるときは、前面噴射口封鎖部２７が前面噴射口２３から離れてその後方に退避している。
【００２５】
切換弁２２の先端側の領域と後端側の領域とは、図１におけるIII−III断面を図示する図３にも示されるように、途中に形成された連通孔２８等を介して連通している。したがって、図１に示されるように前面噴射口封鎖部２７が前面噴射口２３の後方に退避している状態では、開口状態の前面噴射口２３が液の流路である送液チューブ１２内と連通している。２９は、適宜配置されたシール部材であり、特に必要でない場合には省略することができる。
【００２６】
このような構成により、切換弁２２が進退範囲の後側位置にあるときは、側面噴射口２４が封鎖されて、送液チューブ１２内と連通する前面噴射口２３が開口し（図１）、切換弁２２が進退範囲の前側位置にあるときは、前面噴射口２３が封鎖されて、送液チューブ１２内と連通する側面噴射口２４が開口する（図６）。
【００２７】
図４は、挿入管部１０の基端側に設けられた基端注液部３０と処置具挿入口金係合部材４０を示しており、送液チューブ１２の基端に固定的に接続された注液口金３２が、ガイドシース１１の基端に固定的に連結されたガイドシース基端部材３１に対し押しボタン状に押し込み自在に配置されている。３３は、注射筒を差し込めるように注液口金３２に一体に取り付けられたテーパ筒。３４は、注液口金３２の裏面側に当接配置されたスプリング受け部材である。
【００２８】
ガイドシース基端部材３１とスプリング受け部材３４との間には、注液口金３２を上方に押し戻す方向に付勢する第１の圧縮コイルスプリング３５（第１の付勢手段）が配置されている。
【００２９】
その結果、注液口金３２をガイドシース基端部材３１に向かって押し込み操作すると、注液口金３２がガイドシース基端部材３１に接近する方向に移動して、送液チューブ１２がガイドシース１１に対し先端方向に押し込まれ（図５参照）、注液口金３２を押し込む力が除かれると、第１の圧縮コイルスプリング３５の付勢力により元の図４の状態に戻る。
【００３０】
処置具挿入口金６に対し差し込まれた状態に係脱自在に係合する処置具挿入口金係合部材４０は、ガイドシース基端部材３１に近接してその前方（図において下方）寄りの位置に、ガイドシース基端部材３１に対し相対的に軸線方向に進退自在に設けられている。
【００３１】
そして、処置具挿入口金係合部材４０の基端部分に固定的に連結された保持筒３６，３７内にガイドシース基端部材３１が配置されていて、ガイドシース基端部材３１を処置具挿入口金係合部材４０側から上方に押し戻す方向に付勢する第２の圧縮コイルスプリング３８（第２の付勢手段）が保持筒３６，３７内に設けられている。この保持筒３６，３７は、ガイドシース基端部材３１の軸線方向進退範囲を規制する機能も有している。
【００３２】
第２の圧縮コイルスプリング３８には、第１の圧縮コイルスプリング３５より強いばね力が与えられていて、第１の圧縮コイルスプリング３５が縮みきった後でないと第２の圧縮コイルスプリング３８は縮まない。
【００３３】
その結果、第２の圧縮コイルスプリング３８が縮む状態になるまで注液口金３２を押し込み操作すると、ガイドシース１１と送液チューブ１２とが処置具挿入口金係合部材４０に対して先端方向に押し込まれ（図７参照）、注液口金３２を押し込む力が除かれると、第１の圧縮コイルスプリング３５の付勢力により元の図４の状態に戻る。
【００３４】
このように構成された実施例の内視鏡用送液カテーテルは、図４に示されるように注液口金３２が押し込み操作されていない状態で注液口金３２から送液チューブ１２内に試薬等の液が注入されると、先端では、図１に示されるように前面噴射口２３が開口して側面噴射口２４が閉じた状態になっているので、前方に向かって体内に試薬等を撒布することができる。なお、この実施例では、噴射口金２１の先端面が内視鏡の挿入部１の突出面４と揃う程度に挿入管部１０の長さが設定されている。
【００３５】
そして、図５に示されるように、第１の圧縮コイルスプリング３５が縮みきった状態になるまで注液口金３２が押し込まれて、注液口金３２から送液チューブ１２内に洗浄液等が注入されると、先端では、図６に示されるように側面噴射口２４が開口して前面噴射口２３が閉じた状態になっている。したがって、必要であれば、その側方の内視鏡の挿入部１の先端面３にある通常観察用観察窓に向かって洗浄液等を噴出させることができる。
【００３６】
さらに、図７に示されるように、第２の圧縮コイルスプリング３８も縮みきった状態になるまで注液口金３２が押し込まれて、注液口金３２から送液チューブ１２内に洗浄液等が注入されると、先端では、図８に示されるように先端口金部２０が前方に押し出され、側面噴射口２４が開口して前面噴射口２３が閉じた状態になっているので、その側方の内視鏡の挿入部１の突出面４にある拡大観察用観察窓に向かって洗浄液等を噴出させることができる。側面噴射口２４の向きは、挿入管部１０を手元側から軸線周り方向に回転させることで適宜変えることができる。
【００３７】
このようにして、内視鏡の処置具挿通チャンネル５に用具を挿脱し直すことなく、突出面４にある拡大観察用観察窓への洗浄液噴射と、体内への試薬撒布等を一つの内視鏡用送液カテーテルで容易に行うことができる。
【図面の簡単な説明】
【００３８】
【図１】本発明の実施例の内視鏡用送液カテーテルの先端側部分の側面断面図である。
【図２】本発明の実施例の図１におけるII−II断面図である。
【図３】本発明の実施例の図１におけるIII−III断面図である。
【図４】本発明の実施例の内視鏡用送液カテーテルの基端側部分の側面断面図である。
【図５】本発明の実施例の内視鏡用送液カテーテルを動作させた状態の基端側部分の側面断面図である。
【図６】本発明の実施例の内視鏡用送液カテーテルを動作させた状態の先端側部分の側面断面図である。
【図７】本発明の実施例の内視鏡用送液カテーテルを最大限まで動作させた状態の基端側部分の側面断面図である。
【図８】本発明の実施例の内視鏡用送液カテーテルを最大限まで動作させた状態の先端側部分の側面断面図である。
【図９】本発明の実施例の内視鏡用送液カテーテルが使用される内視鏡の側面図である。
【図１０】本発明の実施例の内視鏡用送液カテーテルの全体構成を示す側面図である。
【符号の説明】
【００３９】
１  挿入部
３  先端面
４  突出面
５  処置具挿通チャンネル
６  処置具挿入口金
１１  ガイドシース
１２  送液チューブ
２１  噴射口金
２２  切換弁
２３  前面噴射口
２４  側面噴射口
２５  側面噴射口封鎖部
２６  側面開口部
２７  前面噴射口封鎖部
３１  ガイドシース基端部材
３２  注液口金
３５  第１の圧縮コイルスプリング（第１の付勢手段）
３８  第２の圧縮コイルスプリング（第２の付勢手段）
４０  処置具挿入口金係合部材
【図１】
2009233093.tif 000003
【図２】
2009233093.tif 000004
【図３】
2009233093.tif 000005
【図４】
2009233093.tif 000006
【図５】
2009233093.tif 000007
【図６】
2009233093.tif 000008
【図７】
2009233093.tif 000009
【図８】
2009233093.tif 000010
【図９】
2009233093.tif 000011
【図１０】
2009233093.tif 000012